(57)【特許請求の範囲】
【請求項１】
端末が実行するビデオ情報処理方法であって、前記端末は、ソーシャルアプリケーションにおいて第１ユーザの友達のうちの１人である第２ユーザに対応する第２ユーザ識別子に関連付けられ、前記方法は、
サーバーから送信されたソースビデオ情報を受信するステップであって、前記ソースビデオ情報は、ソースビデオ識別子、前記ソースビデオ識別子に対応するソースビデオ、前記ソーシャルアプリケーションにおける友達と共有するために前記ソースビデオを前記サーバーへ送信する第１端末に関連付けられた前記第１ユーザに対応する第１ユーザ識別子及び前記サーバーにおける前記ソースビデオの格納場所を含むステップと、
前記ソースビデオに対する特殊効果情報を取得するステップと、
前記格納場所、前記ソースビデオ識別子及び前記特殊効果情報に基づいて、前記ソースビデオ識別子に関連付けられた対話型ビデオ情報を生成するステップであって、前記対話型ビデオ情報は、前記ソースビデオ識別子、前記格納場所及び前記特殊効果情報を含むステップと、
前記サーバーが前記対話型ビデオ情報を格納し、前記対話型ビデオ情報に対話型ビデオ情報識別子を割り当て、前記対話型ビデオ情報を前記第２ユーザ識別子と前記ソースビデオ識別子とを含む通知の形式で前記第１ユーザ識別子に対応する前記第１端末に、前記ソーシャルアプリケーションを介して返送するように、前記対話型ビデオ情報を前記サーバーにアップロードするステップであって、前記対話型ビデオ情報は、前記第１端末において前記通知が選択されると、前記ソースビデオの再生と共に前記第１端末において再生されるよう構成される、ステップと、を含むことを特徴とするビデオ情報処理方法。
【請求項２】
前記ソースビデオに対する特殊効果情報を取得するステップは、前記ソースビデオを再生表示する再生ページで、前記ソースビデオに対する特殊効果情報を取得するステップを含み、
前記ソースビデオを再生表示する再生ページで、前記ソースビデオに対する特殊効果情報を取得するステップは、
前記ソースビデオを再生する再生ページで、特殊効果タイプメニューオープン命令を受信し、該特殊効果タイプメニューオープン命令に従って、各特殊効果タイプ識別子及びその対応特殊効果タイプ情報を取得し、取得した各特殊効果タイプ情報を表示することと、
選定した特殊効果タイプ識別子を有する特殊効果タイプ選択命令を受信し、選定した特殊効果タイプ識別子に関連付けられた各特殊効果コンテンツ識別子及びその対応する特殊効果コンテンツ情報を取得し、各前記特殊効果コンテンツ情報を表示することと、
選定した特殊効果コンテンツ識別子を有する特殊効果コンテンツ選択命令を受信し、選定した特殊効果コンテンツ識別子に対応する特殊効果情報を取得することと、を含むことを特徴とする
請求項１に記載のビデオ情報処理方法。
【請求項３】
前記特殊効果コンテンツ選択命令を受信した後、
前記選定した特殊効果コンテンツ識別子に関連付けられた各特殊効果再生形態識別子及びその対応する特殊効果再生形態情報を取得し、各前記特殊効果再生形態情報を表示することと、選定した特殊効果再生形態識別子を有する特殊効果再生形態選択命令を受信することと、を更に含み、
前記ソースビデオに対する特殊効果情報は、前記選定した特殊効果コンテンツ識別子に対応する特殊効果情報と、前記選定した特殊効果再生形態識別子に対応する特殊効果再生形態情報とを含むことを特徴とする
請求項２に記載のビデオ情報処理方法。
【請求項４】
前記サーバーから送信されたソースビデオ情報を受信する前に、
前記サーバーから送信された第１通知情報を受信し、該第１通知情報を表示するステップと、
前記第１通知情報に対する操作命令を受信し、該操作命令に従って、前記第２ユーザ識別子を有する第１クエリ要求を前記サーバーに送信するステップと、
前記第１クエリ要求に従って前記サーバーから返送された第１クエリ応答を受信するステップであって、前記第１クエリ応答は、前記第２ユーザ識別子に関連付けられた、状態が未読であるソースビデオ識別子と、前記状態が未読であるソースビデオ識別子に対応するユーザ識別子とを含むステップと、
選択レビュー命令を受信し、前記選択レビュー命令に従って、前記第１ユーザ識別子を有する第１読み取り要求を前記サーバーに送信するステップと、を更に含み、
前記ソースビデオ情報は、前記サーバーが前記第１読み取り要求に応答して返送したソースビデオ情報であることを特徴とする
請求項１に記載のビデオ情報処理方法。
【請求項５】
端末が実行するビデオ情報処理方法であって、前記端末は、ソーシャルアプリケーションにおいて第２ユーザ識別子に対応する第２ユーザを友達のうちの１人として有する第１ユーザに関連付けられ、前記方法は、
前記ソーシャルアプリケーションにおける友達と共有するためにソースビデオをサーバーへ送信するステップと、
前記サーバーから送信された未読ビデオ情報を受信するステップであって、前記未読ビデオ情報は、対話型ビデオ情報に関連付けられ状態が未読である各対話型ビデオ情報識別子と、各対話型ビデオ情報識別子及び前記ソースビデオに関連付けられたソースビデオ識別子とを含むステップであって、前記対話型ビデオ情報は、前記第２ユーザに関連付けられた第２端末において生成された、前記ソースビデオに対する特殊効果情報を含む、ステップと、
前記ソースビデオ識別子を有する情報読み取り命令を受信するステップと、
前記情報読み取り命令に従って、前記ソースビデオ識別子を有する第２読み取り要求を前記サーバーに送信するステップと、
前記サーバーから返送された第２読み取り応答を受信するステップであって、前記第２読み取り応答は、前記未読ビデオ情報において、前記ソースビデオ識別子に関連付けられた対話型ビデオ情報識別子に対応する対話型ビデオ情報を含むステップと、
前記対話型ビデオ情報識別子を有する特殊効果再生命令を受信するステップと、
前記ソースビデオ識別子に対応する前記ソースビデオ、及び前記対話型ビデオ情報識別子に対応する前記対話型ビデオ情報における前記特殊効果情報を再生するステップと、を含むことを特徴とするビデオ情報処理方法。
【請求項６】
前記サーバーから送信された未読ビデオ情報を受信する前に、
前記サーバーから送信された第２通知情報を受信することと、前記第２通知情報に対する操作命令を受信することと、該操作命令に従って、第１ユーザ識別子を有する第２クエリ要求を前記サーバーに送信することと、を更に含み、
前記受信した、サーバーから送信された未読ビデオ情報は、受信した、前記サーバーが前記第２クエリ要求に応答して返送した未読ビデオ情報であることを特徴とする請求項５に記載のビデオ情報処理方法。
【請求項７】
前記サーバーから返送した第２読み取り応答を受信した後、
前記ソースビデオ識別子に関連付けられた各対話型ビデオ情報識別子に従って、対応するペンダントを生成して表示するステップと、
前記ペンダントを介して前記特殊効果再生命令を受信するステップと、を更に含むことを特徴とする
請求項５に記載のビデオ情報処理方法。
【請求項８】
前記ソースビデオ識別子に対応するソースビデオをローカルから検索して取得するか、又は、
前記第２読み取り応答は、前記ソースビデオ識別子に対応するソースビデオを含むことを特徴とする
請求項５に記載のビデオ情報処理方法。
【請求項９】
コンピュータプログラムが記憶されているメモリとプロセッサとを備えるコンピュータデバイスであって、前記コンピュータデバイスは、ソーシャルアプリケーションにおいて第１ユーザの友達のうちの１人である第２ユーザに対応する第２ユーザ識別子に関連付けられ、
前記コンピュータプログラムが前記プロセッサにより実行される時、前記プロセッサに、
サーバーから送信されたソースビデオ情報を受信するステップであって、前記ソースビデオ情報は、ソースビデオ識別子、前記ソースビデオ識別子に対応するソースビデオ、前記ソーシャルアプリケーションにおける友達と共有するために前記ソースビデオを前記サーバーへ送信する第１端末に関連付けられた前記第１ユーザに対応する送信する第１端末に関連付けられた前記第１ユーザに対応する第１ユーザ識別子及び前記サーバーにおける前記ソースビデオの格納場所を含むステップと、
前記ソースビデオに対する特殊効果情報を取得するステップと、
前記格納場所、前記ソースビデオ識別子及び前記特殊効果情報に基づいて、前記ソースビデオ識別子に関連付けられた対話型ビデオ情報を生成するステップであって、前記対話型ビデオ情報は、前記ソースビデオ識別子、前記格納場所及び前記特殊効果情報を含むステップと、
前記サーバーが前記対話型ビデオ情報を格納し、前記対話型ビデオ情報に対話型ビデオ情報識別子を割り当て、前記対話型ビデオ情報を前記第２ユーザ識別子と前記ソースビデオ識別子とを含む通知の形式で前記第１ユーザ識別子に対応する前記第１端末に、前記ソーシャルアプリケーションを介して返送するように、前記対話型ビデオ情報を前記サーバーにアップロードするステップであって、前記対話型ビデオ情報は、前記第１端末において前記通知が選択されると、前記ソースビデオの再生と共に前記第１端末において再生されるよう構成される、ステップと、を実行させることを特徴とするコンピュータデバイス。
【請求項１０】
前記ソースビデオに対する特殊効果情報を取得するステップは、前記ソースビデオを再生表示する再生ページで、前記ソースビデオに対する特殊効果情報を取得するステップを含み、
前記ソースビデオを再生表示する再生ページで、前記ソースビデオに対する特殊効果情報を取得するステップは、
前記ソースビデオを再生する再生ページで、特殊効果タイプメニューオープン命令を受信し、該特殊効果タイプメニューオープン命令に従って、各特殊効果タイプ識別子及びその対応特殊効果タイプ情報を取得し、取得した各特殊効果タイプ情報を表示することと、
選定した特殊効果タイプ識別子を有する特殊効果タイプ選択命令を受信し、選定した特殊効果タイプ識別子に関連付けられた各特殊効果コンテンツ識別子及びその対応する特殊効果コンテンツ情報を取得し、各前記特殊効果コンテンツ情報を表示することと、
選定した特殊効果コンテンツ識別子を有する特殊効果コンテンツ選択命令を受信し、選定した特殊効果コンテンツ識別子に対応する特殊効果情報を取得することと、を含むことを特徴とする
請求項９に記載のコンピュータデバイス。
【請求項１１】
前記プロセッサは、特殊効果コンテンツ選択命令を受信した後、
前記選定した特殊効果コンテンツ識別子に関連付けられた各特殊効果再生形態識別子及びその対応する特殊効果再生形態情報を取得し、各前記特殊効果再生形態情報を表示するステップと、選定した特殊効果再生形態識別子を有する特殊効果再生形態選択命令を受信するステップと、を更に実行し、
前記ソースビデオに対する特殊効果情報は、前記選定した特殊効果コンテンツ識別子に対応する特殊効果情報と、前記選定した特殊効果再生形態識別子に対応する特殊効果再生形態情報とを含むことを特徴とする
請求項１０に記載のコンピュータデバイス。
【請求項１２】
前記プロセッサは、サーバーから送信されたソースビデオ情報を受信する前に、
前記サーバーから送信された第１通知情報を受信し、該第１通知情報を表示するステップと、
前記第１通知情報に対する操作命令を受信し、該操作命令に従って、前記第２ユーザ識別子を有する第１クエリ要求を前記サーバーに送信するステップと、
前記第１クエリ要求に従って前記サーバーから返送された第１クエリ応答を受信するステップであって、前記第１クエリ応答は、前記第２ユーザ識別子に関連付けられた、状態が未読であるソースビデオ識別子と、前記状態が未読であるソースビデオ識別子に対応するユーザ識別子とを含むステップと、
選択レビュー命令を受信し、前記選択レビュー命令に従って、前記第１ユーザ識別子を有する第１読み取り要求を前記サーバーに送信するステップと、を更に実行し、
前記ソースビデオ情報は、前記サーバーが前記第１読み取り要求に応答して返送したソースビデオ情報であることを特徴とする
請求項９に記載のコンピュータデバイス。
【請求項１３】
コンピュータプログラムが記憶されているメモリとプロセッサとを備えるコンピュータデバイスであって、前記コンピュータデバイスは、ソーシャルアプリケーションにおいて第２ユーザ識別子に対応する第２ユーザを友達のうちの１人として有する第１ユーザに関連付けられ、
前記コンピュータプログラムが前記プロセッサにより実行される時、前記プロセッサに、
前記ソーシャルアプリケーションにおける友達と共有するためにソースビデオをサーバーへ送信するステップと、
前記サーバーから送信された未読ビデオ情報を受信するステップであって、前記未読ビデオ情報は、対話型ビデオ情報に関連付けられ状態が未読である各対話型ビデオ情報識別子と、各対話型ビデオ情報識別子及び前記ソースビデオに関連付けられたソースビデオ識別子とを含むステップであって、前記対話型ビデオ情報は、前記第２ユーザに関連付けられた第２端末において生成された、前記ソースビデオに対する特殊効果情報を含む、ステップと、
前記ソースビデオ識別子を有する情報読み取り命令を受信するステップと、
前記情報読み取り命令に従って、前記ソースビデオ識別子を有する第２読み取り要求を前記サーバーに送信するステップと、
前記サーバーから返送された第２読み取り応答を受信するステップであって、前記第２読み取り応答は、前記未読ビデオ情報において、前記ソースビデオ識別子に関連付けられた対話型ビデオ情報識別子に対応する対話型ビデオ情報を含むステップと、
前記対話型ビデオ情報識別子を有する特殊効果再生命令を受信するステップと、
前記ソースビデオ識別子に対応する前記ソースビデオ、及び前記対話型ビデオ情報識別子に対応する前記対話型ビデオ情報における前記特殊効果情報を再生するステップと、を実行させることを特徴とするコンピュータデバイス。
【請求項１４】
前記プロセッサは、前記サーバーから送信された未読ビデオ情報を受信する前に、
前記サーバーから送信された第２通知情報を受信するステップと、前記第２通知情報に対する操作命令を受信するステップと、該操作命令に従って、第１ユーザ識別子を有する第２クエリ要求を前記サーバーに送信するステップと、を更に実行し、
前記受信した、サーバーから送信された未読ビデオ情報は、受信した、前記サーバーが前記第２クエリ要求に応答して返送した未読ビデオ情報であることを特徴とする
請求項１３に記載のコンピュータデバイス。
【請求項１５】
前記プロセッサは、前記サーバーから返送した第２読み取り応答を受信した後、
前記ソースビデオ識別子に関連付けられた各対話型ビデオ情報識別子に従って、対応するペンダントを生成して表示するステップと、
前記ペンダントを介して前記特殊効果再生命令を受信するステップと、を更に実行することを特徴とする
請求項１３に記載のコンピュータデバイス。
【請求項１６】
前記ソースビデオ識別子に対応するソースビデオをローカルから検索して取得するか、又は、
前記第２読み取り応答は、前記ソースビデオ識別子に対応するソースビデオを含むことを特徴とする
請求項１３に記載のコンピュータデバイス。
【請求項１７】
コンピュータプログラムが記憶されているコンピュータ記憶媒体であって、
該コンピュータプログラムがソーシャルアプリケーションにおいて第１ユーザの友達のうちの１人である第２ユーザに対応する第２ユーザ識別子に関連付けられた端末のプロセッサにより実行される時、前記プロセッサに
サーバーから送信されたソースビデオ情報を受信するステップであって、前記ソースビデオ情報は、ソースビデオ識別子、前記ソースビデオ識別子に対応するソースビデオ、前記ソーシャルアプリケーションにおける友達と共有するために前記ソースビデオを前記サーバーへ送信する第１端末に関連付けられた前記第１ユーザに対応する第１ユーザ識別子及び前記サーバーにおける前記ソースビデオの格納場所を含むステップと、
前記ソースビデオに対する特殊効果情報を取得するステップと、
前記格納場所、前記ソースビデオ識別子及び前記特殊効果情報に基づいて、前記ソースビデオ識別子に関連付けられた対話型ビデオ情報を生成するステップであって、前記対話型ビデオ情報は、前記ソースビデオ識別子、前記格納場所及び前記特殊効果情報を含むステップと、
前記サーバーが前記対話型ビデオ情報を格納し、前記対話型ビデオ情報に対話型ビデオ情報識別子を割り当て、前記対話型ビデオ情報を前記第２ユーザ識別子と前記ソースビデオ識別子とを含む通知の形式で前記第１ユーザ識別子に対応する前記第１端末に、前記ソーシャルアプリケーションを介して返送するように、前記対話型ビデオ情報を前記サーバーにアップロードするステップであって、前記対話型ビデオ情報は、前記第１端末において前記通知が選択されると、前記ソースビデオの再生と共に前記第１端末において再生されるよう構成される、ステップと、を実行させることを特徴とするコンピュータ記憶媒体。
【請求項１８】
前記ソースビデオに対する特殊効果情報を取得するステップは、前記ソースビデオを再生表示する再生ページで、前記ソースビデオに対する特殊効果情報を取得するステップを含み、
前記ソースビデオを再生表示する再生ページで、前記ソースビデオに対する特殊効果情報を取得するステップは、
前記ソースビデオを再生する再生ページで、特殊効果タイプメニューオープン命令を受信し、該特殊効果タイプメニューオープン命令に従って、各特殊効果タイプ識別子及びその対応特殊効果タイプ情報を取得し、取得した各特殊効果タイプ情報を表示することと、
選定した特殊効果タイプ識別子を有する特殊効果タイプ選択命令を受信し、選定した特殊効果タイプ識別子に関連付けられた各特殊効果コンテンツ識別子及びその対応する特殊効果コンテンツ情報を取得し、各特殊効果コンテンツ情報を表示することと、
選定した特殊効果コンテンツ識別子を有する特殊効果コンテンツ選択命令を受信し、選定した特殊効果コンテンツ識別子に対応する特殊効果情報を取得することと、を含むことを特徴とする
請求項１７に記載のコンピュータ記憶媒体。
【請求項１９】
前記プロセッサは、特殊効果コンテンツ選択命令を受信した後、
前記選定した特殊効果コンテンツ識別子に関連付けられた各特殊効果再生形態識別子及びその対応する特殊効果再生形態情報を取得し、各前記特殊効果再生形態情報を表示するステップと、選定した特殊効果再生形態識別子を有する特殊効果再生形態選択命令を受信するステップと、を更に実行し、
前記ソースビデオに対する特殊効果情報は、前記選定した特殊効果コンテンツ識別子に対応する特殊効果情報と、前記選定した特殊効果再生形態識別子に対応する特殊効果再生形態情報とを含むことを特徴とする
請求項１８に記載のコンピュータ記憶媒体。
【請求項２０】
前記プロセッサは、サーバーから送信されたソースビデオ情報を受信する前に、
前記サーバーから送信された第１通知情報を受信し、該第１通知情報を表示するステップと、
前記第１通知情報に対する操作命令を受信し、該操作命令に従って、第２ユーザ識別子を有する第１クエリ要求を前記サーバーに送信するステップと、
前記第１クエリ要求に従って前記サーバーから返送された第１クエリ応答を受信するステップであって、前記第１クエリ応答は、前記第２ユーザ識別子に関連付けられた、状態が未読であるソースビデオ識別子と、前記状態が未読であるソースビデオ識別子に対応するユーザ識別子とを含むステップと、
選択レビュー命令を受信し、前記選択レビュー命令に従って、前記第１ユーザ識別子を有する第１読み取り要求を前記サーバーに送信するステップと、を更に実行し、
前記ソースビデオ情報は、前記サーバーが前記第１読み取り要求に応答して返送したソースビデオ情報であることを特徴とする
請求項１７に記載のコンピュータ記憶媒体。
【請求項２１】
コンピュータプログラムが記憶されているコンピュータ記憶媒体であって、
前記コンピュータプログラムがソーシャルアプリケーションにおいて第２ユーザ識別子に対応する第２ユーザを友達のうちの１人として有する第１ユーザに関連付けられた端末のプロセッサにより実行される時、前記プロセッサに、
前記ソーシャルアプリケーションにおける友達と共有するためにソースビデオをサーバーへ送信するステップと、
前記サーバーから送信された未読ビデオ情報を受信するステップであって、前記未読ビデオ情報は、対話型ビデオ情報に関連付けられ状態が未読である各対話型ビデオ情報識別子と、各対話型ビデオ情報識別子及び前記ソースビデオに関連付けられたソースビデオ識別子とを含むステップであって、前記対話型ビデオ情報は、前記第２ユーザに関連付けられた第２端末において生成された、前記ソースビデオに対する特殊効果情報を含む、ステップと、
前記ソースビデオ識別子を有する情報読み取り命令を受信するステップと、
前記情報読み取り命令に従って、前記ソースビデオ識別子を有する第２読み取り要求を前記サーバーに送信するステップと、
前記サーバーから返送された第２読み取り応答を受信するステップであって、前記第２読み取り応答は、前記未読ビデオ情報において、前記ソースビデオ識別子に関連付けられた対話型ビデオ情報識別子に対応する対話型ビデオ情報を含むステップと、
前記対話型ビデオ情報識別子を有する特殊効果再生命令を受信するステップと、
前記ソースビデオ識別子に対応する前記ソースビデオ、及び前記対話型ビデオ情報識別子に対応する前記対話型ビデオ情報における前記特殊効果情報を再生するステップと、を実行させることを特徴とするコンピュータ記憶媒体。
【請求項２２】
前記プロセッサは、前記サーバーから送信された未読ビデオ情報を受信する前に、
前記サーバーから送信された第２通知情報を受信するステップと、前記第２通知情報に対する操作命令を受信するステップと、該操作命令に従って、第１ユーザ識別子を有する第２クエリ要求を前記サーバーに送信するステップと、を更に実行し、
前記受信した、サーバーから送信された未読ビデオ情報は、受信した、前記サーバーが前記第２クエリ要求に応答して返送した未読ビデオ情報であることを特徴とする
請求項２１に記載のコンピュータ記憶媒体。
【請求項２３】
前記プロセッサは、前記サーバーから返送した第２読み取り応答を受信した後、
前記ソースビデオ識別子に関連付けられた各対話型ビデオ情報識別子に従って、対応するペンダントを生成して表示するステップと、
前記ペンダントを介して前記特殊効果再生命令を受信するステップと、を更に実行することを特徴とする
請求項２１に記載のコンピュータ記憶媒体。
【請求項２４】
前記ソースビデオ識別子に対応するソースビデオをローカルから検索して取得するか、又は、
前記第２読み取り応答は、前記ソースビデオ識別子に対応するソースビデオを含むことを特徴とする
請求項２１に記載のコンピュータ記憶媒体。
【発明の詳細な説明】
【技術分野】
【０００１】
本出願は、２０１７年０９月０８日に中国特許局に提出された出願番号２０１７１０８０６９８７Ｘ、発明名称「ビデオ情報処理方法及び装置、コンピュータデバイス」の中国特許出願の優先権を主張し、その全ての内容は引用によって本出願に組み込まれる。
【０００２】
本出願は、コンピュータ情報処理技術分野に関し、特に、ビデオ情報処理方法、コンピュータデバイスに関する。
【背景技術】
【０００３】
ソーシャルアプリケーションの出現及び迅速な成長は、人々の交流に利便性を与える。ソーシャルアプリケーションにより、文字、画像、動画、ファイル、ビデオ等のコンテンツをリアルタイムで伝達することができる。例えば、第１ユーザは、文字を第２ユーザに送信することで、表現したいコンテンツを伝達する。第１ユーザが、第２ユーザにビデオを送信し、第２ユーザが第１ユーザからの文字又はビデオ等のコンテンツを受信することで、第１ユーザと第２ユーザとの情報伝達を実現させる。
【０００４】
現在のソーシャルアプリケーションにおいて、ユーザ間は、ビデオで対話することができる。例えば、第１ユーザがソースビデオを第２ユーザに伝達し、第２ユーザが第１ユーザからのソースビデオを受信した後、第１ユーザにビデオを返送することで、第１ユーザと第２ユーザとの間でビデオによる情報伝達を実現させる。つまり、ユーザ間は、ビデオによって表現したい情報を伝達できるが、人々の感情の複雑さ及びソーシャルアプリケーションの機能に対する絶え間ない需要のため、単一のビデオで情報を伝達する時、ビデオ情報量が十分に豊富ではないため、伝達可能な情報量が極めて限られており、つまり、情報伝達には制限がある。
【発明の概要】
【発明が解決しようとする課題】
【０００５】
本出願が提供する様々な実施例によれば、ビデオ情報処理方法、コンピュータデバイスおよび記憶媒体を提供する。
【課題を解決するための手段】
【０００６】
端末が実行するビデオ情報処理方法であって、
サーバーから送信されたソースビデオ情報を受信するステップであって、前記ソースビデオ情報は、ソースビデオ識別子、前記ソースビデオ識別子に対応するソースビデオ、前記ソースビデオを送信する第１ユーザ識別子及び前記サーバーにおける前記ソースビデオの格納場所を含むステップと、
前記ソースビデオに対する特殊効果情報を取得するステップと、
前記格納場所、前記ソースビデオ識別子及び前記特殊効果情報に基づいて、前記ソースビデオ識別子に関連付けられた対話型ビデオ情報を生成するステップであって、前記対話型ビデオ情報は、前記ソースビデオ識別子、前記格納場所及び前記特殊効果情報を含むステップと、
前記サーバーが前記対話型ビデオ情報を前記第１ユーザ識別子に対応する端末に送信するように、前記対話型ビデオ情報を前記サーバーにアップロードするステップと、を含む。
【０００７】
端末が実行するビデオ情報処理方法を更に提供し
サーバーから送信された未読ビデオ情報を受信するステップであって、前記未読ビデオ情報は、状態が未読である各対話型ビデオ情報識別子と、各前記対話型ビデオ情報識別子に関連付けられたソースビデオ識別子とを含むステップと、
第１ソースビデオ識別子を有する情報読み取り命令を受信するステップと、
情報読み取り命令に従って、第１ソースビデオ識別子を有する第２読み取り要求を前記サーバーに送信するステップと、
前記サーバーから返送された第２読み取り応答を受信するステップであって、前記第２読み取り応答は、前記未読ビデオ情報において、前記第１ソースビデオ識別子に関連付けられた各対話型ビデオ情報識別子に対応する対話型ビデオ情報を含むステップと、
第１対話型ビデオ情報識別子を有する特殊効果再生命令を受信するステップと、
前記第１ソースビデオ識別子に対応するソースビデオ、及び前記第１対話型ビデオ情報識別子に対応する対話型ビデオ情報における特殊効果情報を再生するステップと、を含む。
【０００８】
コンピュータデバイスであって、メモリとプロセッサとを備え、前記メモリには、コンピュータプログラムが記憶されており、前記コンピュータプログラムが前記プロセッサにより実行される時、前記プロセッサに、
サーバーから送信されたソースビデオ情報を受信するステップであって、前記ソースビデオ情報は、ソースビデオ識別子、前記ソースビデオ識別子に対応するソースビデオ、前記ソースビデオを送信する第１ユーザ識別子及び前記サーバーにおける前記ソースビデオの格納場所を含むステップと、
前記ソースビデオに対する特殊効果情報を取得するステップと、
前記格納場所、前記ソースビデオ識別子及び前記特殊効果情報に基づいて、前記ソースビデオ識別子に関連付けられた対話型ビデオ情報を生成するステップであって、前記対話型ビデオ情報は、前記ソースビデオ識別子、前記格納場所及び前記特殊効果情報を含むステップと、
前記サーバーが前記対話型ビデオ情報を前記第１ユーザ識別子に対応する端末に送信するように、前記対話型ビデオ情報を前記サーバーにアップロードするステップと、を実行させる。
【０００９】
コンピュータデバイスであって、メモリとプロセッサとを備え、前記メモリには、コンピュータプログラムが記憶されており、前記コンピュータプログラムが前記プロセッサにより実行される時、前記プロセッサに、
サーバーから送信された未読ビデオ情報を受信するステップであって、前記未読ビデオ情報は、状態が未読である各対話型ビデオ情報識別子と、各前記対話型ビデオ情報識別子に関連付けられたソースビデオ識別子とを含むステップと、
第１ソースビデオ識別子を有する情報読み取り命令を受信するステップと、
情報読み取り命令に従って、第１ソースビデオ識別子を有する第２読み取り要求を前記サーバーに送信するステップと、
前記サーバーから返送された第２読み取り応答を受信するステップであって、前記第２読み取り応答は、前記未読ビデオ情報において、前記第１ソースビデオ識別子に関連付けられた各対話型ビデオ情報識別子に対応する対話型ビデオ情報を含むステップと、
第１対話型ビデオ情報識別子を有する特殊効果再生命令を受信するステップと、
前記第１ソースビデオ識別子に対応するソースビデオ、及び前記第１対話型ビデオ情報識別子に対応する対話型ビデオ情報における特殊効果情報を再生するステップと、を実行させる。
【００１０】
コンピュータ記憶媒体であって、それにコンピュータプログラムが記憶されており、該コンピュータプログラムがプロセッサにより実行される時、前記プロセッサに、
サーバーから送信されたソースビデオ情報を受信するステップであって、前記ソースビデオ情報は、ソースビデオ識別子、前記ソースビデオ識別子に対応するソースビデオ、前記ソースビデオを送信する第１ユーザ識別子及び前記サーバーにおける前記ソースビデオの格納場所を含むステップと、
前記ソースビデオに対する特殊効果情報を取得するステップと、
前記格納場所、前記ソースビデオ識別子及び前記特殊効果情報に基づいて、前記ソースビデオ識別子に関連付けられた対話型ビデオ情報を生成するステップであって、前記対話型ビデオ情報は、前記ソースビデオ識別子、前記格納場所及び前記特殊効果情報を含むステップと、
前記サーバーが前記対話型ビデオ情報を前記第１ユーザ識別子に対応する端末に送信するように、前記対話型ビデオ情報を前記サーバーにアップロードするステップと、を実行させる。
【００１１】
コンピュータ記憶媒体であって、それにコンピュータプログラムが記憶されており、該コンピュータプログラムがプロセッサにより実行される時、前記プロセッサに、
サーバーから送信された未読ビデオ情報を受信するステップであって、前記未読ビデオ情報は、状態が未読である各対話型ビデオ情報識別子と、各前記対話型ビデオ情報識別子に関連付けられたソースビデオ識別子とを含むステップと、
第１ソースビデオ識別子を有する情報読み取り命令を受信するステップと、
情報読み取り命令に従って、第１ソースビデオ識別子を有する第２読み取り要求を前記サーバーに送信するステップと、
前記サーバーから返送された第２読み取り応答を受信するステップであって、前記第２読み取り応答は、前記未読ビデオ情報において、前記第１ソースビデオ識別子に関連付けられた各対話型ビデオ情報識別子に対応する対話型ビデオ情報を含むステップと、
第１対話型ビデオ情報識別子を有する特殊効果再生命令を受信するステップと、
前記第１ソースビデオ識別子に対応するソースビデオ、及び前記第１対話型ビデオ情報識別子に対応する対話型ビデオ情報における特殊効果情報を再生するステップと、を実行させる。
【発明の効果】
【００１２】
上記ビデオ情報処理方法、コンピュータデバイスおよび記憶媒体によれば、サーバーから送信された、第１ユーザ識別子に対応する第１端末により送信されたソースビデオに関する情報を受信した後、ソースビデオ情報にはソースビデオを送信する第１ユーザ識別子が含まれるため、ソースビデオに特殊効果情報を追加することで、ソースビデオの情報量を豊富にすることができる。つまり、前記ソースビデオに対する特殊効果情報を取得する。続いて、前記格納場所、前記ソースビデオ識別子及び前記特殊効果情報に基づいて、前記ソースビデオ識別子に関連付けられた対話型ビデオ情報を生成する。生成された対話型ビデオ情報には、ソースビデオ識別子及びソースビデオを取得できる格納場所が含まれるだけでなく、ユーザの表現したい要旨を表す特殊効果情報、つまり豊富なビデオ情報量も含まれる。続いて、前記対話型ビデオ情報をサーバーにアップロードして記憶すると、第１ユーザ識別子に対応する端末は、ソースビデオに基づいてサーバーから上記対話型ビデオ情報を取得することができ、第１ユーザ識別子に対応する端末へ伝達されるビデオ情報量を増加させる。
【００１３】
上記ビデオ情報処理方法、コンピュータデバイスおよび記憶媒体によれば、前記サーバーから送信された、状態が未読である対話型ビデオ情報識別子及び各対話型ビデオ情報識別子に関連付けられたソースビデオ識別子を受信した後、第１ソースビデオ識別子を有する第２読み取り要求を前記サーバーに送信することで、前記第１ソースビデオ識別子に関連付けられた各対話型ビデオ情報識別子の対話型ビデオ情報の読み取りを要求することができる。前記サーバーから送信された、各前記対話型ビデオ情報識別子に対応する対話型ビデオ情報を受信した後、第１対話型ビデオ情報識別子を有する特殊効果再生命令を受信し、第１ソースビデオ識別子に対応するソースビデオ及び前記第１対話型ビデオ情報識別子に対応する対話型ビデオ情報における特殊効果情報を再生すると共に、第１ソースビデオ識別子に対応するソースビデオ及び第１対話型ビデオ情報識別子に対応する対話型ビデオ情報における特殊効果情報を同時に再生することができる。つまり、第１対話型ビデオ情報識別子に対応する対話型ビデオ情報には、ユーザが付加したい特殊効果情報も含まれ、ユーザ間で伝達されるビデオ情報量を豊富にする。
【図面の簡単な説明】
【００１４】
【図１】本出願の一実施例によるビデオ情報処理方法の適用環境を示す概略図である。
【図２】一実施例によるコンピュータデバイスの内部構造を示す概略図である。
【図３】一実施例によるビデオ情報処理方法を示すフローチャートである。
【図４】別の実施例によるビデオ情報処理方法を示すフローチャートである。
【図５】一実施例によるビデオ情報処理方法を示すフローチャートである。
【図６】一実施例による文字特殊効果選択プロセスのページを示す図である。
【図７】一実施例による文字特殊効果に対応する特殊効果情報の再生効果のページを示す図である。
【図８】一実施例によるグラフィティ特殊効果選択プロセスのページを示す図である。
【図９】一実施例によるグラフィティ特殊効果タイプに対応する特殊効果情報の再生効果のページを示す図である。
【図１０】一実施例による音声特殊効果選択プロセスのページを示す図である。
【図１１】一実施例による音声特殊効果タイプに対応する特殊効果情報の再生効果のページを示す図である。
【図１２】一実施例による対話型ビデオ情報の再生原理を示す図である。
【図１３】ユーザＡとユーザＢとのビデオ伝達原理を示す図である。
【図１４】ユーザＡによる対話型ビデオ情報取得の原理を示す図である。
【図１５】ビデオ再生原理を示す図である。
【図１６】一実施例によるビデオ情報処理装置のモジュールを示す概略図である。
【図１７】別の実施例によるビデオ情報処理装置のモジュールを示す概略図である。
【図１８】一実施例によるビデオ情報処理装置のモジュールを示す概略図である。
【発明を実施するための形態】
【００１５】
本出願の実施例における技術的解決手段をより明確にするために、実施例の説明に必要な図面を簡単に説明する。勿論、図面は本出願の一部の実施例に過ぎず、当業者は創造的な労力を要することなく、これらの図面に基づいて他の図面を得ることもできる。
【００１６】
本出願の目的、技術的解決手段及びメリットをより明確にするために、以下、図面及び実施例を参照して、本出願をさらに詳しく説明する。ここに記述される実施形態は、本出願を説明するためのものに過ぎず、本出願の保護範囲を限定するものではないことは理解されるべきである。
【００１７】
図１は、本出願の一実施例によるビデオ情報処理方法の適用環境を示す概略図である。図１に示すように、その適用環境は、端末１０及びサーバー２０に関わる。端末１０は、ソースビデオをサーバー１２０にアップロードすることができ、他の端末により該ソースビデオに基づいて特殊効果処理されて生成された対応する対話型ビデオ情報をサーバー１２０から取得することもでき、また、他の端末からのソースビデオをサーバー１２０から取得し、該ソースビデオに基づいて特殊効果処理を行ってソースビデオに対する特殊効果情報を取得し、格納場所、ソースビデオ識別子及び特殊効果情報に基づいて、ソースビデオ識別子に関連付けられた対話型ビデオ情報を生成してサーバー１２０にアップロードすることもでき、これにより上記他の端末は、該端末により生成された対話型ビデオ情報をサーバー１２０から取得することができる。
【００１８】
例えば、端末１０は、第１端末１１０と第２端末１２０とを備えてもよい。第１端末１１０及び第２端末１２０はそれぞれネットワーク１３０を介してサーバー１２０と通信する。第１端末１１０は、サーバー１２０にソースビデオをアップロードすることができる。第２端末１２０はネットワーク１３０を介して対応するサーバー１２０にアクセスし、第１端末１１０からのソースビデオを要求する。第２端末１２０は、第１端末１１０から送信されたソースビデオをサーバー１２０から受信した後、ソースビデオを特殊効果処理してソースビデオに対する特殊効果情報を取得し、格納場所、ソースビデオ識別子及び特殊効果情報に基づいて、ソースビデオ識別子に関連付けられた対話型ビデオ情報を生成してサーバー１２０にアップロードし、サーバー１２０により、対話型ビデオ情報を第１端末１１０に送信することで、第１端末１１０と第２端末１２０との対話型ビデオ情報の伝達を実現させる。第１端末１１０は、対話型ビデオ情報を取得した後、サーバー２０における格納場所から、ソースビデオ識別子に対応するソースビデオを取得し、ソースビデオ及び第１ユーザ識別子に対応する特殊効果情報を再生することができる。
【００１９】
同様に、第２端末１２０もサーバー１２０にソースビデオをアップロードすることができる。第１端末１１０は、ネットワーク１３０を介して対応するサーバー１２０にアクセスし、第２端末１２０からのソースビデオを要求する。第１端末１１０は、第２端末１２０から送信されたソースビデオをサーバー１２０から受信した後、ソースビデオを特殊効果処理してソースビデオに対する特殊効果情報を取得し、格納場所、ソースビデオ識別子及び特殊効果情報に基づいて、ソースビデオ識別子に関連付けられた対話型ビデオ情報を生成してサーバー１２０にアップロードし、サーバー１２０により、対話型ビデオ情報を第２端末１２０に送信し、第１端末１１０と第２端末１２０との対話型ビデオ情報伝達を実現させる。第２端末１１０は、対話型ビデオ情報を取得した後、サーバー２０における格納場所から、ソースビデオ識別子に対応するソースビデオを取得し、ソースビデオ及び特殊効果情報を再生することができる。即ち、１つの端末は、ソースビデオをアップロードして該ソースビデオに対応する対話型ビデオ情報を受信することができるだけでなく、ソースビデオを受信して該ソースビデオに基づいて対話型ビデオ情報を生成することもできる。
【００２０】
第１端末１１０及び第２端末１２０は、例えば、デスクトップパソコン又は移動端末のような、インテリジェント入出力を実現できる如何なる装置であってもよい。移動端末は、スマートフォン、タブレット、車載コンピュータ、ウェアラブルインテリジェントデバイス等であってもよい。該サーバー２０は、ソースビデオ情報又は対話型ビデオ情報を転送するプラットフォームが位置するサーバーであってもよい。サーバー２０は１つであってもよいし、複数であってもよい。
【００２１】
一実施例によるコンピュータデバイスの内部構造は図２に示す。該コンピュータデバイスは、図１に示した第１端末１１０又は第２端末１２０であってもよい。該コンピュータデバイスは、システムバスを介して接続されるプロセッサ、メモリ及びネットワークインタフェースを備える。メモリは、不揮発性記憶媒体及びメモリを含む。ここで、コンピュータデバイスのプロセッサは、サーバー全体の実行をサポートするための計算および制御能力を提供するように構成される。コンピュータデバイスの不揮発性記憶媒体には、オペレーティングシステム及びコンピュータプログラムが記憶されており、該コンピュータプログラムがプロセッサにより実行される時、プロセッサにビデオ情報処理方法を実行させることができる。該コンピュータデバイスのメモリは、不揮発性記憶媒体におけるビデオ情報処理装置のために実行環境を提供する。該メモリには、コンピュータ可読命令が記憶されており、該コンピュータ可読命令がプロセッサにより実行される時、プロセッサにビデオ情報処理方法を実行させることができる。コンピュータデバイスのネットワークインタフェースは、ネットワーク１３０との接続及び通信のためのものである。
【００２２】
当業者には明らかなように、図２に示した構成は、本出願の解決手段に関連する一部の構造のブロック図に過ぎず、本出願の解決手段に適用されるサーバーを限定するものではなく、具体的なサーバーは、図示したものより多く又はより少ない部材を備えてもよいし、幾つかの部材を組み合わせたものであってもよいし、異なる部材配置をそなえてもよい。
【００２３】
図３に示すように、一実施例による第２端末に適用されるビデオ情報処理方法を提供する。該方法は図１に示した端末１０に適用可能であり、一例において、図１に示した第２端末１２０に適用可能である。該ビデオ情報処理方法の第２端末１２０への適用を例として説明すると、上記方法は、ステップＳ４１０〜Ｓ４４０を含むことができる。
【００２４】
Ｓ４１０：サーバーから送信されたソースビデオ情報を受信する。
【００２５】
ここで、ソースビデオ情報は、ソースビデオ識別子と、ソースビデオ識別子に対応するソースビデオと、ソースビデオを送信する第１ユーザ識別子と、ソースビデオのサーバーにおける格納場所とを含む。
【００２６】
第１ユーザ識別子に対応する第１端末はサーバーを介してソースビデオ情報を第２ユーザ識別子に対応する第２端末に送信した後、第２端末は、ソースビデオに基づいた対話型ビデオ情報を第１端末に返送することで、両者で伝達された情報量を豊富にすることができる。即ち、第１ユーザ識別子に対応する第１端末は、ソースビデオをサーバーにアップロードすることができる。サーバーは、該ソースビデオを受信してから、格納場所に格納し、ソースビデオ識別子（即ち、ソースビデオＩＤ）を該ソースビデオのために割り当てる。該ソースビデオは、第１ユーザ識別子に対応する第１端末によりアップロードされたものであるため、第１ユーザ識別子に対応する。それにより、該ソースビデオが、第１ユーザ識別子に対応するユーザによりアップロードされたものであることを表す。続いて、サーバーは、ソースビデオを送信する第１ユーザ識別子と、ソースビデオ識別子と、ソースビデオ識別子に対応するソースビデオと、ソースビデオのサーバーにおける格納場所とを有するソースビデオ情報を第２ユーザ識別子に対応する第２端末に送信することができる。第２ユーザ識別子に対応する第２端末は、受信したソースビデオを再生し、且つ、ソースビデオを特殊効果処理することができる。
【００２７】
Ｓ４２０：ソースビデオに対する特殊効果情報を取得する。
【００２８】
特殊効果情報は付加情報である。本実施例において、特殊効果情報は文字情報、グラフィティ画像又は音声情報であってもよい。上記特殊効果情報により、ユーザが伝達したい情報を強化することができる。
【００２９】
Ｓ４３０：格納場所、ソースビデオ識別子及び特殊効果情報に基づいて、ソースビデオ識別子に関連付けられた対話型ビデオ情報を生成する。
【００３０】
第２ユーザ識別子に対応する第２端末により取得されたソースビデオ情報には、第１ユーザ識別子に対応する第１端末から送信されたソースビデオのサーバーにおける格納場所及びソースビデオ識別子を有する。従って、第２ユーザ識別子に対応する第２端末は、上記格納場所、ソースビデオ識別子及び取得した特殊効果情報に基づいて、ソースビデオ識別子に関連付けられた対話型ビデオ情報を生成することができる。つまり、該対話型ビデオ情報は、ソースビデオ識別子に対応する。対話型ビデオ情報は、ソースビデオ識別子、格納場所及び特殊効果情報を含む。対話型ビデオ情報に含まれる情報に基づいて、対応するソースビデオ識別子を知ることができる。従って、対応するソースビデオを見付けることができる。
【００３１】
Ｓ４４０：サーバーが対話型ビデオ情報を第１ユーザ識別子に対応する端末に送信するように、対話型ビデオ情報をサーバーにアップロードする。
【００３２】
対話型ビデオ情報をサーバーにアップロードした後、サーバーは該対話型ビデオ情報を格納し、対応する対話型ビデオ情報識別子（即ち、対話型ビデオ情報ＩＤ）を割り当てることができる。サーバーは、該対話型ビデオ情報を第１ユーザ識別子に対応する第１端末に送信し、第１ユーザ識別子に対応する第１端末と第２ユーザ識別子に対応する第２端末とのビデオ情報伝達を実現させることができる。
【００３３】
上記ビデオ情報処理方法によれば、サーバーからの、第１ユーザ識別子に対応する第１端末に送信されるソースビデオ情報を受信した後、前記ソースビデオ情報には、ソースビデオを送信する第１ユーザ識別子を含むため、ソースビデオに特殊効果情報を追加することで、ソースビデオの情報量を豊富にすることができる、つまり、ソースビデオに対する特殊効果情報を取得し、続いて、格納場所、ソースビデオ識別子及び特殊効果情報に基づいて、ソースビデオ識別子に関連付けられた対話型ビデオ情報を生成する。生成される対話型ビデオ情報には、ソースビデオ識別子及びソースビデオを取得できる格納場所が含まれるだけでなく、ユーザの表現したい要旨を表す特殊効果情報、つまり豊富なビデオ情報量も含まれる。対話型ビデオ情報をサーバーにアップロードして記憶すると、第１ユーザ識別子に対応する端末は、ソースビデオに基づいてサーバーから上記対話型ビデオ情報を取得し、第１ユーザ識別子へ伝達されるビデオ情報量を増加させることができ、ユーザ間のコミュニケーションをより簡便にする。
【００３４】
一実施例において、ソースビデオに対する特殊効果情報を取得するステップは、ソースビデオを再生表示する再生ページで、ソースビデオに対する特殊効果情報を取得することを含む。
【００３５】
本実施例において、ソースビデオを再生表示する再生ページで、ソースビデオに対する特殊効果情報を取得するステップは、ソースビデオを再生する再生ページで、特殊効果タイプメニューオープン命令を受信し、該特殊効果タイプメニューオープン命令に従って、各特殊効果タイプ識別子及びその対応特殊効果タイプ情報を取得し、取得した各特殊効果タイプ情報を表示することと、選定した特殊効果タイプ識別子を有する特殊効果タイプ選択命令を受信し、選定した特殊効果タイプ識別子に関連付けられた各特殊効果コンテンツ識別子及びその対応する特殊効果コンテンツ情報を取得し、各特殊効果コンテンツ情報を表示することと、選定した特殊効果コンテンツ識別子を有する特殊効果コンテンツ選択命令を受信し、選定した特殊効果コンテンツ識別子に対応する特殊効果情報を取得することと、を含む。
【００３６】
ソースビデオを特殊効果処理する時、様々な特殊効果タイプを選択することができる。各特殊効果タイプについて、対応する識別子及び特殊効果タイプ情報（例えば、特殊効果タイプ識別子に対応する特殊効果タイプ名称等であってもよい）が存在する。ユーザは、各特殊効果タイプを選択することができる。まず、受信したソースビデオを再生し、ソースビデオを再生表示する再生ページで、ソースビデオに対する特殊効果情報を取得する。具体的には、ソースビデオを再生表示する再生ページで、ソースビデオを再生するページで、操作を行い、特殊効果タイプメニューオープン命令を受信すると（例えば、ソースビデオを再生する再生ページで特殊効果タイプメニューボタンをクリックし、特殊効果タイプメニューオープン命令を受信する）、各特殊効果タイプ識別子及びその対応特殊効果タイプ情報を取得し、各特殊効果タイプ情報を表示することができる（例えば、各特殊効果タイプ情報には、文字特殊効果情報（例えば、情報「文字特殊効果」であってもよい）、グラフィティ特殊効果情報及び音声特殊効果情報が含まれ、再生ページで、上記文字特殊効果情報、グラフィティ特殊効果情報及び音声特殊効果情報を表示する）。再生ページで各特殊効果タイプ情報が表示されるため、ユーザは、特殊効果タイプ情報を選択する必要がある。即ち、特殊効果タイプ選択命令を受信すると、選定した特殊効果タイプ識別子を知ることができる（特殊効果タイプ情報に対応するボタンをクリックすると、対応する特殊効果タイプ選択命令を受信することができる。例えば、文字特殊効果情報のボタンをクリックし、文字特殊効果選択命令を受信する。選定した特殊効果タイプ識別子は、文字特殊効果識別子である）。各特殊効果タイプ識別子は各特殊効果コンテンツに対応する。即ち特殊効果タイプ識別子は、各特殊効果コンテンツ識別子と関連付けられ、特殊効果コンテンツ識別子は特殊効果コンテンツ情報に対応する。従って、選定した特殊効果タイプ識別子に関連付けられた各特殊効果コンテンツ識別子及びその対応する特殊効果コンテンツ情報を取得し、各特殊効果コンテンツ情報を表示することができる。選定した特殊効果タイプ識別子が文字特殊効果識別子であることを例として、文字特殊効果識別子に関連付けられた特殊効果コンテンツ識別子には、様々な文字情報識別子が含まれてもよい。それらを再生ページに表示し、選択に供する。ユーザはそれを選択すると、選定した特殊効果コンテンツ識別子に対応する特殊効果情報を取得することができる。
【００３７】
一実施例において、特殊効果コンテンツ選択命令を受信した後、選定した特殊効果コンテンツ識別子に関連付けられた各特殊効果再生形態識別子及びその対応する特殊効果再生形態情報を取得し、各特殊効果再生形態情報を表示することと、選定した特殊効果再生形態識別子を有する特殊効果再生形態選択命令を受信することと、を更に含む。
【００３８】
特殊効果コンテンツ識別子には、様々な特殊効果再生形態識別子が関連づけられており、特殊効果再生形態識別子は特殊効果再生形態情報に対応し、特殊効果コンテンツ識別子には更に、対応する特殊効果情報が関連付けられている。選定した特殊効果コンテンツ識別子を有する特殊効果コンテンツ選択命令を受信した後、特殊効果コンテンツ識別子に関連付けられた各特殊効果再生形態識別子及びその対応する特殊効果再生形態情報を取得できるだけでなく、選定した特殊効果コンテンツ識別子に対応する特殊効果情報を取得することもできる。即ち、本実施例において、ソースビデオの特殊効果情報は、選定した特殊効果コンテンツ識別子に対応する特殊効果情報と、選定した特殊効果再生形態識別子に対応する特殊効果再生形態情報とを含む。後で特殊効果再生を行う時、選定した特殊効果コンテンツ識別子に対応する特殊効果情報を上記対応する特殊効果再生形態情報に対応する再生形態で再生する。
【００３９】
図４に示すように、一実施例において、サーバーから送信されたソースビデオ情報を受信する前に、ステップＳ４０１〜Ｓ４０４を更に含む。
【００４０】
Ｓ４０１：サーバーから送信された第１通知情報を受信し、該第１通知情報を表示する。
【００４１】
Ｓ４０２：第１通知情報に対する操作命令を受信し、該操作命令に従って、第２ユーザ識別子を有する第１クエリ要求をサーバーに送信する。
【００４２】
Ｓ４０３：第１クエリ要求に従ってサーバーから返送されたクエリ応答を受信する。
【００４３】
クエリ応答は、第２ユーザ識別子に関連付けられた、状態が未読であるソースビデオ識別子と、状態が未読であるソースビデオ識別子に対応するユーザ識別子とを含む。
【００４４】
Ｓ４０４：選択レビュー命令を受信し、選択レビュー命令に従って、サーバーに第１読み取り要求を送信する。
【００４５】
第１読み取り要求は第１ユーザ識別子を有する。ここで、第１通知情報は、新たなソースビデオのリマインド情報である。それは、新たなソースビデオがサーバーに更新されたことをユーザにリマインドする。サーバーから新たなソースビデオをダウンロードできることをユーザにリマインドする。ユーザは、該第１通知情報について操作を行い、該第１通知情報に対する操作命令を受信し、該第１通知情報に対する操作命令に従って、第２ユーザ識別子を有する第１クエリ要求をサーバーに送信することで、第２ユーザ識別子に関連付けられた、状態が未読であるソースビデオ識別子をサーバーに要求する。状態が未読であるソースビデオ識別子に対応するユーザ識別子には、ソースビデオのアップロードを行ったものが複数である可能性がある。従って、ユーザによる選択を必要とする。即ち、ユーザは、上記ユーザ識別子について選択操作を行い、選択レビュー命令を受信する。ここで、選択レビュー命令は第１ユーザ識別子を有する。第１ユーザ識別子を有する第１読み取り要求をサーバーに送信する。本実施例において、ソースビデオ情報は、サーバーが第１読み取り要求に応答して返送したソースビデオ情報である。即ち、サーバーから送信されたソースビデオ情報を受信するステップＳ４１０は、サーバーが第１読み取り要求に応答して返送したソースビデオ情報を受信することである。
【００４６】
一実施例において、前記選定した特殊効果コンテンツ識別子に対応する特殊効果情報を受信した後、
前記特殊効果情報に対するプレビュー命令を取得し、プレビュー命令に従って、前記特殊効果情報を前記ソースビデオの再生ページの所定の位置に表示することを更に含む。
【００４７】
特殊効果情報の表示効果をプレビューすることで、ユーザによる観察に寄与すると共に、その表示位置の調整にも寄与する。
【００４８】
一実施例において、プレビュー命令に従って、前記特殊効果情報を前記ソースビデオの再生ページの所定の位置に表示した後、
前記特殊効果情報に対する移動命令を取得し、前記移動命令に従って、前記特殊効果情報を移動させることと、移動後の位置情報を取得し、前記移動後の位置情報を前記特殊効果情報に更新し、更新された特殊効果情報を取得することと、を更に含む。
【００４９】
特殊効果情報表示位置の調整により、様々な需要を満たす。
【００５０】
図５に示すように、本出願は、一実施例による第１端末に適用されるビデオ情報処理方法を更に提供する。該方法は、図１に示した端末１０に適用可能であり、一例において、図１に示した第１端末１１０に適用可能である。該ビデオ情報処理方法の第１端末１１０への適用を例として説明すると、上記方法は、ステップＳ６１０〜Ｓ６６０を含むことができる。
【００５１】
Ｓ６１０：サーバーから送信された未読ビデオ情報を受信する。
【００５２】
未読ビデオ情報は、状態が未読である各対話型ビデオ情報識別子と、各対話型ビデオ情報識別子に関連付けられたソースビデオ識別子とを含む。
【００５３】
サーバーは、第２ユーザ識別子からの対話型ビデオ情報を受信した後、該対話型ビデオ情報を格納し、対応する対話型ビデオ情報識別子を割り当てて、その状態を未読と表記する。第１ユーザ識別子に対応する第１端末に対話型ビデオ情報を送信する第２ユーザ識別子が複数であることがある。第１ユーザ識別子は、サーバーから送信された未読ビデオ情報を受信する。未読ビデオ情報は、状態が未読である各対話型ビデオ情報識別子と、各状態が未読である対話型ビデオ情報識別子に関連付けられたソースビデオ識別子とを含む。対話型ビデオ情報識別子は、対応する対話型ビデオ情報を送信する第２ユーザ識別子に対応する。即ち、第２ユーザ識別子は、対話型ビデオ情報識別子に対応する。
【００５４】
Ｓ６２０：第１ソースビデオ識別子を有する情報読み取り命令を受信する。
【００５５】
受信した対話型ビデオ情報識別子が複数であるため、対話型ビデオ情報識別子は、様々なソースビデオ識別子に対応する。従って、ユーザは選択して読み取りする必要がある。即ち、第１ソースビデオ識別子を有する情報読み取り命令を受信することができる。ここで、第１ソースビデオ識別子は、対話型ビデオ情報識別子について選択を行ってから得られた選択した対話型ビデオ情報識別子に対応するソースビデオ識別子である。例えば、Ａ、Ｂ及びＣのそれぞれから送信された対話型ビデオ情報識別子を受信した。Ａからの対話型ビデオ情報識別子に対応するソースビデオ識別子はａであり、Ｂからの対話型ビデオ情報識別子に対応するソースビデオ識別子はｂであり、Ｃからの対話型ビデオ情報識別子に対応するソースビデオ識別子はａである。ユーザは、ユーザＡからの対話型ビデオ情報識別子を選択した後、ユーザＡからの対話型ビデオ情報識別子に対応するソースビデオ識別子ａ、即ち第１ソースビデオ識別子を取得することができる。
【００５６】
Ｓ６３０：情報読み取り命令に従って、第１ソースビデオ識別子を有する第２読み取り要求をサーバーに送信する。
【００５７】
Ｓ６４０：サーバーから返送された第２読み取り応答を受信する。
【００５８】
第２読み取り応答は、未読ビデオ情報における、第１ソースビデオ識別子に関連付けられた各対話型ビデオ情報識別子に対応する対話型ビデオ情報を含む。
【００５９】
ここで、各対話型ビデオ情報識別子に対応する対話型ビデオ情報について、異なる対話型ビデオ情報識別子が同一のソースビデオ識別子に対応することがある。即ち、様々なユーザが同一のソースビデオ識別子のソースビデオを特殊効果処理した。この場合、第１ソースビデオ識別子を有する第２読み取り要求をサーバーに送信することで、該第１ソースビデオ識別子に関連付けられた各対話型ビデオ情報識別子に対応する対話型ビデオ情報を送信することをサーバーに要求する。即ち、第１ソースビデオ識別子に関連付けられた各対話型ビデオ情報識別子に対応する対話型ビデオ情報を取得することができる。例えば、上記ユーザＡ、Ｂ及びＣについて、ユーザＡからの対話型ビデオ情報識別子を選択した後、ユーザＡからの対話型ビデオ情報識別子に対応するソースビデオ識別子ａを取得することができる。ユーザＣからの対話型ビデオ情報識別子に対応するソースビデオ識別子もａであって、同一のソースビデオに対する特殊効果処理である。この場合、第１ソースビデオ識別子であるソースビデオ識別子ａを有する第２読み取り要求をサーバーに送信する。サーバーは、該第２読み取り要求に応答し、未読情報における、ソースビデオ識別子ａに関連する全ての対話型ビデオ情報識別子に対応する対話型ビデオ情報を読み取り、ユーザＡに送信することができる。
【００６０】
Ｓ６５０：第１対話型ビデオ情報識別子を有する特殊効果再生命令を受信する。
【００６１】
Ｓ６６０：第１ソースビデオ識別子に対応するソースビデオ、及び第１対話型ビデオ情報識別子に対応する対話型ビデオ情報における特殊効果情報を再生する。
【００６２】
第１ソースビデオ識別子に関連付けられた各対話型ビデオ情報識別子に対応する対話型ビデオ情報を受信した後、ソースビデオ及び特殊効果情報を再生することができる。様々な対話型ビデオ情報が存在する可能性があるため、再生を行う時、選択を行う必要がある。即ち１つの対話型ビデオ情報を選択して再生する。具体的には、第１対話型ビデオ情報識別子を有する特殊効果再生命令を受信してから、第１ソースビデオ識別子に対応するソースビデオ、及び第１対話型ビデオ情報識別子に対応する対話型ビデオ情報における特殊効果情報を再生することができる。例えば、受信した、第１ソースビデオ識別子に対応する各対話型ビデオ情報識別子にはＤ、Ｅ、Ｆが含まれ、対話型ビデオ情報を選択して再生する必要がある。例えば、対話型ビデオ情報識別子Ｄの対話型ビデオ情報における特殊効果情報を選択して再生する。
【００６３】
上記ビデオ情報処理方法によれば、サーバーからの、状態が未読である対話型ビデオ情報識別子及び各対話型ビデオ情報識別子に関連付けられたソースビデオ識別子を受信した後、第１ソースビデオ識別子を有する第２読み取り要求をサーバーに送信することで、前記第１ソースビデオ識別子に関連付けられた各対話型ビデオ情報識別子の対話型ビデオ情報の読み取りを要求することができる。サーバーからの、各対話型ビデオ情報識別子に対応する対話型ビデオ情報を受信した後、第１対話型ビデオ情報識別子を有する特殊効果再生命令を受信し、第１ソースビデオ識別子に対応するソースビデオ及び第１対話型ビデオ情報識別子に対応する対話型ビデオ情報における特殊効果情報を再生すると共に、第１ソースビデオ識別子に対応するソースビデオ及び第１対話型ビデオ情報識別子に対応する対話型ビデオ情報における特殊効果情報を同時に再生することができる。つまり、第１対話型ビデオ情報識別子に対応する対話型ビデオ情報には、ユーザが付加したい特殊効果情報も含まれる。ユーザ間で伝達されるビデオ情報量を豊富にする。ユーザ間のコミュニケーションをより簡便にする。
【００６４】
一実施例において、サーバーから送信された未読ビデオ情報を受信する前に、サーバーから送信された第２通知情報を受信することと、第２通知情報に対する操作命令を受信することと、該操作命令に従って、第１ユーザ識別子を有する第２クエリ要求をサーバーに送信することと、を更に含む。
【００６５】
本実施例において、受信した、サーバーから送信された未読ビデオ情報は、受信した、サーバーが第２クエリ要求に応答して返送した未読ビデオ情報である。
【００６６】
ここで、第２通知情報は、新たな対話型ビデオ情報のリマインド情報である。それは、新たな対話型ビデオ情報がサーバーに更新されたことをユーザにリマインドする。サーバーから新たな対話型ビデオ情報をダウンロードできることをユーザにリマインドする。ユーザは、該第２通知情報について操作を行い、該第２通知情報に対する操作命令を受信し、該第２通知情報に対する操作命令に従って、第１ユーザ識別子を有する第２クエリ要求をサーバーに送信することで、第１ユーザ識別子に関連付けられた未読対話型ビデオ情報をサーバーに要求する。受信した、サーバーから送信された未読ビデオ情報は、受信した、サーバーが第２クエリ要求に応答して返送した未読ビデオ情報である。該返送した未読ビデオ情報は第１ユーザ識別子に関連付けられた。
【００６７】
一実施例において、サーバーから返送した第２読み取り応答を受信した後、第１ソースビデオ識別子に関連付けられた各対話型ビデオ情報識別子に従って、対応するペンダント（飾り、付属物）を生成して表示するステップを更に含む。
【００６８】
第２読み取り応答には、未読ビデオ情報における、第１ソースビデオ識別子に関連付けられた各対話型ビデオ情報識別子に対応する対話型ビデオ情報が含まれるため、複数のユーザが該第１ソースビデオ識別子に対応するソースビデオを特殊効果処理する可能性がある。これにより複数の対話型ビデオ情報識別子に対応する対話型ビデオ情報を得る。つまり、第１ソースビデオ識別子に関連付けられた各対話型ビデオ情報識別子の対話型ビデオ情報は第２ユーザ識別子に対応する。具体的には、第１ソースビデオ識別子に関連付けられた各対話型ビデオ情報識別子及び対話型ビデオ情報識別子に対応する第２ユーザ識別子に従って、対応するペンダントを生成して表示することができる。
【００６９】
本実施例において、特殊効果再生命令を受信することは、具体的には、ペンダントを介して特殊効果再生命令を受信することである。即ち、各対話型ビデオ情報識別子に対応するペンダントを表示した後、ユーザは操作を行うことで、選択操作を容易にする。例えば、ペンダントをクリックすることで、ペンダントに対する特殊効果再生命令を受信する。ペンダントに対する特殊効果再生命令には、第１対話型ビデオ情報識別子（ペンダントに対する特殊効果再生命令に従って選択した対話型ビデオ情報識別子）を有する。続いて、第１ソースビデオ識別子に対応するソースビデオ、及び第１対話型ビデオ情報識別子に対応する対話型ビデオ情報における特殊効果情報を再生する。
【００７０】
一実施例において、第１ソースビデオ識別子に対応するソースビデオを再生し、第１ソースビデオ識別子に対応するソースビデオをローカルから検索して取得するか、又は、
第２読み取り応答は、第１ソースビデオ識別子に対応するソースビデオを含む。
【００７１】
つまり、第１ソースビデオ識別子に対応するソースビデオを再生する時、第１ソースビデオ識別子のソースビデオがローカルに記憶されていると、第１ソースビデオ識別子に対応するソースビデオを直接的にローカルから検索して取得し、再生するができる。第１ソースビデオ識別子のソースビデオがローカルに記憶されていないと、取得した第２読み取り応答には、第１ソースビデオ識別子に対応するソースビデオが含まれるため、第２読み取り応答から第１ソースビデオ識別子に対応するソースビデオを取得して再生することができる。
【００７２】
以下、具体的な実施例で、上記ビデオ情報処理方法を説明する。第２ユーザ識別子に対応する第２端末がサーバーからの、第１ユーザ識別子に対応する第１端末により送信されたソースビデオ識別子が１０であるソースビデオを受信したことを例とする。
【００７３】
図６に示すように、識別子が１０であるソースビデオの再生ページを示す。再生ページに、特殊効果タイプメニューボタンが存在する。該特殊効果タイプメニューボタン（即ち、図６に示したビデオメニューオープン）をクリックし、特殊効果タイプメニューオープン命令を受信し、各特殊効果タイプ識別子及びその対応特殊効果タイプ情報を取得し、取得した各特殊効果タイプ情報を表示する。例えば、各特殊効果タイプ情報は、文字特殊効果情報、グラフィティ特殊効果情報及び音声特殊効果情報を含む。文字特殊効果タイプを選択し、文字特殊効果タイプに対応する再生形態情報を選択する。例えば、特殊効果再生形態情報には、追従型再生形態情報、爆弾型再生形態情報及び弾幕型再生形態情報が含まれる。文字特殊効果タイプに対応する特殊効果情報を取得する。例えば、弾幕再生形態情報について、特殊効果情報が「あほうやろう」である。選択してから、プレビューし、各前記特殊効果情報を再生ページに表示する。図７（ａ）は、特殊効果情報を追従型再生形態（特殊効果情報を回転）で再生するプレビュー効果を示し、図７（ｂ）は、特殊効果情報を爆弾型再生形態で再生するプレビュー効果を示し、図７（ｃ）は、特殊効果情報を弾幕再生形態で再生するプレビュー効果を示す。
【００７４】
図８に示すように、識別子が１０であるソースビデオの再生ページを示す。再生ページには、特殊効果タイプメニューボタンが存在する。該特殊効果タイプメニューボタンをクリックし、特殊効果タイプメニューオープン命令を受信し、各特殊効果タイプ識別子及びその対応特殊効果タイプ情報を取得し、取得した各特殊効果タイプ情報を表示し、グラフィティ特殊効果タイプを選択し、グラフィティ特殊効果タイプに対応する特殊効果情報を選択する。例えば、泣き顔グラフィティ画像Ｐ１及びグラフィティ画像Ｐ２であってもよいし、ユーザによりカスタマイズされたグラフィティ画像であってもよい。選択してから、プレビューし、グラフィティ特殊効果タイプの特殊効果情報を再生ページで表示する。図９は、グラフィティ特殊効果タイプに対応する特殊効果情報のプレビュー効果を示す。
【００７５】
図１０に示すように、識別子が１０であるソースビデオの再生ページを示す。再生ページには特殊効果タイプメニューボタンが存在する。該特殊効果タイプメニューボタンをクリックし、特殊効果タイプメニューオープン命令を受信し、各特殊効果タイプ識別子及びその対応特殊効果タイプ情報を受信し、受信した各特殊効果タイプ情報を表示し、音声特殊効果タイプ（即ち、図１０に示した「アフレコしてみよう」に対応する）を選択し、音声特殊効果タイプに対応する特殊効果情報を選択する。例えば、にわとりの鳴き声の入ったＲＡＰ型音声であってもよいし、ユーザによりカスタマイズされて入力された音声であってもよい。図１１は、ユーザが音声をカスタマイズして入力するためのインタフェースを示す。選択してから、プレビューし、音声特殊効果タイプに対応する特殊効果情報及びソースビデオを同期再生することができる。
【００７６】
第２ユーザ識別子は、対話型ビデオ情報を生成してから、サーバーに送信する。サーバーは、第１ユーザ識別子に第２通知情報を送信する。図１２（ａ）は、第１ユーザ識別子がサーバーから送信された第２通知情報を受信したインタフェースを示す。前記第２通知情報に対応する操作命令を受信し、該操作命令に従って、第１ユーザ識別子を有する第２クエリ要求を前記サーバーに送信する。前記サーバーが前記第２クエリ要求に応答して返送した未読ビデオ情報を受信する。前記未読情報は、状態が未読である各対話型ビデオ情報識別子と、各前記対話型ビデオ情報識別子に関連付けられたソースビデオ識別子とを含む。各対話型ビデオ情報識別子について、対応する第２ユーザ識別子が存在する。それにより該対話型ビデオ情報がどのユーザ識別子により送信されたかを知ることができる。例えば、図１２（ｂ）に示したＤＩＤＵ＿ＭＥＮＧは、１つの対話型ビデオ情報識別子１１に対応する第２ユーザ識別子を送信する。ＤＩＤＵ＿ＭＥＮＧの対話型ビデオ情報識別子１１に対応するソースビデオ識別子１０を有する情報読み取り命令を受信し、ソースビデオ識別子１０を有する第２読み取り要求を前記サーバーに送信し、前記サーバーから返送された第２読み取り応答を受信する。前記第２読み取り応答には、前記未読ビデオ情報における、前記ソースビデオ識別子１０に関連する各対話型ビデオ情報識別子に対応する対話型ビデオ情報が含まれる。図１２（ｃ）に示すように、前記ソースビデオ識別子１０に関連する対話型ビデオ情報識別子は、対応するペンダントを生成して再生ページで表示する。ペンダントに対する特殊効果再生命令を受信する。前記特殊効果再生命令は、対話型ビデオ情報識別子１１を有する。前記ソースビデオ識別子１０に対応するソースビデオ、及び前記対話型ビデオ情報識別子１１に対応する対話型ビデオ情報における特殊効果情報を再生する。
【００７７】
具体的には、上記ビデオ情報交換プロセスは、第１端末、サーバー及び第２端末により協働して実行される。最も重要なビデオ情報は、ソースビデオ情報及び対話型ビデオ情報である。ここで、サーバーにおけるソースビデオ情報は、ソースビデオの格納場所、該ソースビデオをアップロードする第１ユーザ識別子、ソースビデオに対応するビデオタイプ（例えば、１はソースビデオタイプを表す）及び該ソースビデオ識別子を含む。サーバーにおける対話型ビデオ情報は、対話型ビデオ情報識別子、それに対応するソースビデオ識別子、ソースビデオ識別子に対応するソースビデオの格納場所、該対話型ビデオ情報をアップロードする第２ユーザ識別子、対話型ビデオ情報の作成時間、対話型ビデオ情報に対応するビデオタイプ（例えば、２は、対話型ビデオ情報タイプを表す）及び特殊効果情報を含む。対話型ビデオ情報は、特殊効果情報を有する点で、ソースビデオ情報と相違する。ユーザが再生する時、対応する特殊効果情報を表示し、ユーザによって、各ソースビデオについて、１つ以上の特殊効果情報を作成することができる。
【００７８】
第１端末のユーザＡと第２端末のユーザＢはビデオ交換を行う。図１３に示すように、ビデオ識別子ＶｉｄｅｏＩＤ＝１０のビデオは、ユーザから投稿されたソースビデオであり、対応するソースビデオ識別子ＶｉｄｅｏＩＤは１０である。ＢがＡの友人であるため、ユーザＢは、友人から投稿された全てのソースビデオを取得することができる。ユーザＢは、Ａから投稿されたＶｉｄｅｏＩＤ＝１０に対応するソースビデオを再生する。ユーザＢは、ＶｉｄｅｏＩＤ＝１０に対応するソースビデオについて、リッチメディアによる作成を行い（特殊効果情報を追加）、対話型ビデオ情報を得る。ここで、図１３に示したリッチメディアによる記述は特殊効果情報である。サーバーに提出した後、割り当てられた対話型ビデオ識別子ＶｉｄｅｏＩＤは１１である。
【００７９】
サーバーは、ＶｉｄｅｏＩＤ＝１１の対話型ビデオ情報に基づいて、関連するソースビデオＶｉｄｅｏＩＤ＝１０に対応するユーザＡを見つけると、ユーザＡは、対応する通知情報を受信することができる。図１４に示すように、ユーザＡは通知情報を受信した後、ソースビデオＶｉｄｅｏＩＤ＝１０に対応するソースビデオを取得して再生し、対話型ビデオ情報に含まれる特殊効果情報を再生することができる。即ち、リッチメディアによる記述に対応するコンテンツを再生する。
【００８０】
なお、各ソースビデオ及び対話型ビデオ情報について、正常な再生及び表示を行うことができる。図１５に示すように、ビデオ再生ページを開き、ビデオデータをロードし、オリジナルのビデオ情報であるソースビデオ情報を表示する。該ソースビデオ情報について、対応する対話型ビデオ情報が存在するかを判定することができる。存在しなければ、ソースビデオを直接再生する。存在すれば、対話型ビデオ情報に対応するペンダントである二次作成された吹き出し情報を表示し、二次作成された吹き出し情報をクリックし、対話型ビデオ情報における異なる特殊効果情報に基づいて、異なる特殊効果效果を表示する。図１５におけるサービス側は、上記サーバーと理解される。サーバーには、該ソースビデオに対応する対話型ビデオ情報が存在すれば（即ち二次作成された情報を含む）、サーバー側は、二次作成された情報を第１ユーザ識別子が位置する第１端末にプッシュし、第１端末により再生することができる。
【００８１】
一実施例において、コンピュータデバイスを更に提供する。該コンピュータデバイスの内部構成は図２に示す。該コンピュータデバイスに、ビデオ処理装置が設けられており、装置は各モジュールを備え、各モジュールの全て又は一部は、ソフトウェア、ハードウェア又はそれらの組み合わせにより実現される。
【００８２】
図１６に示すように一実施例によるビデオ情報処理装置を提供し、該装置は、図１に示した第２端末１２０に設けられてもよく、
サーバーから送信されたソースビデオ情報を受信するように構成されるソースビデオ情報取得モジュール７１０であって、ソースビデオ情報は、ソースビデオ識別子、ソースビデオ識別子に対応するソースビデオ、ソースビデオを送信する第１ユーザ識別子及びソースビデオの前記サーバーにおける格納場所を含むソースビデオ情報取得モジュール７１０と、
ソースビデオに対する特殊効果情報を取得するように構成される情報取得モジュール７２０と、
格納場所、ソースビデオ識別子及び特殊効果情報に基づいて、ソースビデオ識別子に関連付けられた対話型ビデオ情報を生成するように構成される対話型ビデオ生成モジュール７３０であって、対話型ビデオ情報は、ソースビデオ識別子、格納場所及び特殊効果情報を含む対話型ビデオ生成モジュール７３０と、
サーバーが対話型ビデオ情報を第１ユーザ識別子に対応する端末に送信するように、対話型ビデオ情報をサーバーにアップロードするように構成されるアップロードモジュール７４０と、を備える。
【００８３】
一実施例において、上記情報取得モジュール７２０は具体的には、ソースビデオを再生表示する再生ページで、ソースビデオに対する特殊効果情報を取得するように構成され、
上記情報取得モジュール７２０は、
ソースビデオを再生する再生ページで、特殊効果タイプメニューオープン命令を受信し、該特殊効果タイプメニューオープン命令に従って、各特殊効果タイプ識別子及びその対応特殊効果タイプ情報を取得し、取得した各特殊効果タイプ情報を表示するように構成される特殊効果タイプ情報取得モジュールと、
選定した特殊効果タイプ識別子を有する特殊効果タイプ選択命令を受信し、選定した特殊効果タイプ識別子に関連付けられた各特殊効果コンテンツ識別子及びその対応する特殊効果コンテンツ情報を取得し、各特殊効果コンテンツ情報を表示するように構成される特殊効果コンテンツ情報取得モジュールと、
選定した特殊効果コンテンツ識別子を有する特殊効果コンテンツ選択命令を受信し、選定した特殊効果コンテンツ識別子に対応する特殊効果情報を取得するように構成される特殊効果情報取得モジュールと、を備える。
【００８４】
一実施例において、上記特殊効果情報取得モジュールは更に、特殊効果コンテンツ選択命令を受信した後、選定した特殊効果コンテンツ識別子に関連付けられた各特殊効果再生形態識別子及びその対応する特殊効果再生形態情報を取得し、各特殊効果再生形態情報を表示し、選定した特殊効果再生形態識別子を有する特殊効果再生形態選択命令を受信するように構成され、
ソースビデオの特殊効果情報は、選定した特殊効果コンテンツ識別子に対応する特殊効果情報と、選定した特殊効果再生形態識別子に対応する特殊効果再生形態情報とを含む。
【００８５】
一実施例において、前記特殊効果情報取得モジュールは更に、特殊効果コンテンツ選択命令を受信した後、前記選定した特殊効果コンテンツ識別子に関連付けられた各特殊効果再生形態識別子及びその対応する特殊効果再生形態情報を取得し、各前記特殊効果再生形態情報を表示し、選定した特殊効果再生形態識別子を有する特殊効果再生形態選択命令を受信するように構成され、
前記ソースビデオに対する特殊効果情報は、前記選定した特殊効果コンテンツ識別子に対応する特殊効果情報と、前記選定した特殊効果再生形態識別子に対応する特殊効果再生形態情報とを含む。
【００８６】
図１７に示すように、一実施例において、上記ビデオ情報処理装置は、
前記サーバーから送信された第１通知情報を受信し、該第１通知情報を表示するように構成される第１通知情報受信モジュール７０１と、
前記第１通知情報に対する操作命令を受信し、該操作命令に基づいて、第２ユーザ識別子を有する第１クエリ要求を前記サーバーに送信するように構成される第１クエリ要求送信モジュール７０２と
前記サーバーから第１クエリ要求に従って返送されたクエリ応答を受信するように構成される第１クリエ応答受信モジュール７０３であって、前記クエリ応答は、前記第２ユーザ識別子に関連付けられた、状態が未読であるソースビデオ識別子と、状態が未読であるソースビデオ識別子に対応するユーザ識別子とを含む第１クリエ応答受信モジュール７０３と、
選択レビュー命令を受信し、選択レビュー命令に従って、第１ユーザ識別子を有する第１読み取り要求をサーバーに送信するように構成される第１読み取り要求取得モジュール７０４と、を更に備える。
【００８７】
ソースビデオ情報は、サーバーが第１読み取り要求に応答して返送したソースビデオ情報である。
【００８８】
上記の第２端末に設けられるビデオ処理装置は、上記の第２端末に適用されるビデオ処理方法に対応し、ビデオ処理装置における上記ビデオ処理方法に対応する技術的特徴について、詳細な説明を省略する。
【００８９】
図１８に示すように、一実施例によるビデオ情報処理装置を提供し、該装置は、図１に示した第１端末１１０に設けられてもよく、
サーバーから送信された未読ビデオ情報を受信するように構成される未読ビデオ情報取得モジュール９１０であって、前記未読ビデオ情報は、状態が未読である各対話型ビデオ情報識別子と、各前記対話型ビデオ情報識別子に関連付けられたソースビデオ識別子とを含む未読ビデオ情報取得モジュール９１０と、
第１ソースビデオ識別子を有する情報読み取り命令を受信するように構成される情報読み取り命令取得モジュール９２０と、
情報読み取り命令に従って、第１ソースビデオ識別子を有する第２読み取り要求をサーバーに送信するように構成される第２読み取り要求送信モジュール９３０と、
サーバーから返送された第２読み取り応答を受信するように構成される第２読み取り応答取得モジュール９４０であって、第２読み取り応答は、未読ビデオ情報における、第１ソースビデオ識別子に関連付けられた各対話型ビデオ情報識別子に対応する対話型ビデオ情報を含む第２読み取り応答取得モジュール９４０と、
第１対話型ビデオ情報識別子を有する特殊効果再生命令を受信するように構成される特殊効果再生命令取得モジュール９５０と、
第１ソースビデオ識別子に対応するソースビデオ、及び第１対話型ビデオ情報識別子に対応する対話型ビデオ情報における特殊効果情報を再生するように構成される再生モジュール９６０と、を備える。
【００９０】
一実施例において、上記ビデオ情報処理装置は、
サーバーから送信された第２通知情報を受信するように構成される第２通知情報取得モジュールと、
第２通知情報に対する操作命令を受信し、該操作命令に従って、第１ユーザ識別子を有する第２クエリ要求をサーバーに送信するように構成される第２クエリ要求送信モジュールと、を更に備える。
【００９１】
受信した、サーバーから送信された未読ビデオ情報は、受信した、サーバーが第２クエリ要求に応答して返送した未読ビデオ情報である。
【００９２】
一実施例において、上記ビデオ情報処理装置は、
第１ソースビデオ識別子に関連付けられた各対話型ビデオ情報識別子に従って、対応するペンダントを生成して表示するように構成されるペンダント生成モジュールと、
ペンダントを介して特殊効果再生命令を受信するように構成される特殊効果再生命令取得モジュールと、を更に備える。
【００９３】
一実施例において、再生モジュールは具体的には、第１ソースビデオ識別子に対応するソースビデオを再生し、第１ソースビデオ識別子に対応するソースビデオをローカルから検索して取得するように構成されるか、又は、
第２読み取り応答は、第１ソースビデオ識別子に対応するソースビデオを含む。
【００９４】
上記の第１端末に設けられるビデオ処理装置は、上記の第１端末に適用されるビデオ処理方法に対応し、ビデオ処理装置における上記ビデオ処理方法に対応する技術的特徴について、詳細な説明を省略する。
【００９５】
本出願の一実施例において、メモリと、プロセッサとを備えるコンピュータデバイスを更に提供し、プロセッサには、コンピュータプログラムが記憶されており、該コンピュータプログラムがプロセッサにより実行される時、前記プロセッサに、上記各実施例におけるビデオ処理方法の工程を実行させる。
【００９６】
本出願の一実施例において、コンピュータ記憶媒体を更に提供し、それにコンピュータプログラムが記憶されており、該コンピュータプログラムがプロセッサにより実行される時、前記プロセッサに、上記各実施例におけるビデオ処理方法の工程を実行させる
本出願の各実施例における各工程は、必ずしも工程の符号により指示された順番で順次実行されるものではないことが理解される。特に明記しない限り、これらの工程の実行は厳格な順番に限定されるものではない。これらの工程は、他の順番で実行可能である。また、各実施例における少なくとも一部の工程は、複数のサブステップ又は複数の段階を含んでもよい。これらのサブステップ又は段階は、必ずしも同一の時点で実行されるものではない。異なる時点で実行可能である。これらのサブステップ又は段階の実行順番は必ずしも順次に実行されるものではなく、他の工程、他の工程のサブステップ又は段階の少なく一部と共に順次実行されてもよいし、交替で実行されてもよい。
【００９７】
当業者は、上述した実施例におけるすべて又は一部の方法の実現について、コンピュータのプログラムコマンドによって関連したハードウェアを指示して完成することができ、前記プログラムがコンピュータの読み取り可能な記憶媒体に記憶されていることができ、例えば、本出願の実施例において該プログラムはコンピュータシステムの不揮発性コンピュータ可読記憶媒体に記憶され、該コンピュータシステムにおける少なくとも１つのプロセッサにより実現されることで、上述した各態様の実施例の手順を実現させることが理解すべきである。ここで、本出願が提供する各実施例における用いられるメモリ、記憶、データベース又は他の媒体へのあらゆる言及は不揮発性及び／又は揮発性メモリを含む。不揮発性メモリは、リードオンリーメモリ（ＲＯＭ）、プログラマブルＲＯＭ（ＰＲＯＭ）、電気的プログラマブルＲＯＭ（ＥＰＲＯＭ）、電気的に消去可能なプログラマブルＲＯＭ（ＥＥＰＲＯＭ）又はフラッシュメモリを含んでもよい。揮発性メモリは、ランダムアクセスメモリ（ＲＡＭ）又は外部キャッシュメモリを含んでもよい。非限定的な例証として、ＲＡＭは、スタティックＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲＳＤＲＡＭ）、エンハンストＳＤＲＡＭ（ＥＳＤＲＡＭ）、同期リンク（Ｓｙｎｃｈｌｉｎｋ）ＤＲＡＭ（ＳＬＤＲＡＭ）及び、メモリラムバス（Ｒａｍｂｕｓ）ダイレクトＲＡＭ（ＲＤＲＡＭ）、ダイレクトメモリラムバスダイナミックＲＡＭ（ＤＲＤＲＡＭ）及びメモリラムバスダイナミックＲＡＭ（ＲＤＲＡＭ）などの多数の形態で使用可能である。
【００９８】
以上の実施例の各技術的特徴は任意に組み合わせることができ、説明を簡潔にするために、上記実施例における各技術的特徴のすべての可能な組合せについて説明していないが、これらの技術的特徴の組合せは矛盾しない限り、本明細書に記載されている範囲に属すると考えられる。
【００９９】
以上の実施例は本発明における幾つかの実施形態を示したに過ぎず、具体的かつ詳細に記載はしたが、これにより本発明の範囲が限定されると解釈すべきではない。当業者にとって、本発明の構想を離脱しない前提で、さらに複数の変形及び改良を行うことができるが、これらは全て本発明の保護範囲に属されるべきであることに留意されたい。従って、本発明の特許の保護範囲は添付の請求項に準ずるべきである。
【図１】
0006947919.tif 000002
【図２】
0006947919.tif 000003
【図３】
0006947919.tif 000004
【図４】
0006947919.tif 000005
【図５】
0006947919.tif 000006
【図６】
0006947919.tif 000007
【図７】
0006947919.tif 000008
【図８】
0006947919.tif 000009
【図９】
0006947919.tif 000010
【図１０】
0006947919.tif 000011
【図１１】
0006947919.tif 000012
【図１２】
0006947919.tif 000013
【図１３】
0006947919.tif 000014
【図１４】
0006947919.tif 000015
【図１５】
0006947919.tif 000016
【図１６】
0006947919.tif 000017
【図１７】
0006947919.tif 000018
【図１８】
0006947919.tif 000019